(57)【特許請求の範囲】
【請求項１】
吸込口と吐出口と粉塵を除去する集塵フィルターを具備し、吸込口から汚染空気を吸引し、この汚染空気を集塵フィルターで清浄化し、清浄空気を吐出口から吐出して送風する手段を備えた空気清浄器において、空気清浄器本体を平面略コ字形に形成し、空気清浄器本体の両側部に吸込口を形成すると共に、両吸込口の間において空気清浄器本体の内側に開口させて吐出口を設け、吸込口から吸い込まれる汚染空気の風速よりも吐出口から吐出され送風される清浄空気の風速を小さくして成ることを特徴とする空気清浄器。
【請求項２】
請求項１に記載の空気清浄器において、集塵フィルターを吐出口側に設けて成ることを特徴とする空気清浄器。
【請求項３】
請求項１又は２に記載の空気清浄器において、吐出口の開口面積を吸込口の開口面積よりも大きくして成ることを特徴とする空気清浄器。
【請求項４】
請求項１乃至３のいずれかに記載の空気清浄器において、上下方向に複数本の横片を並設してルーバーを形成し、空気清浄器本体に設けた開口部にこのルーバーを設けて隣接する横片間を吐出口とし、空気清浄器本体の上部に位置する横片を上方に傾斜させて設けると共にその他の横片を水平に形成して成ることを特徴とする空気清浄器。
【請求項５】
吸気口と排気口を具備し、空気を吸気口から吸引し、排気口から排気して送風する手段を備えて送風器を形成し、請求項１乃至４に記載の空気清浄器の吐出口と送風器の吸気口とを対向させて配置して成ることを特徴とする空気清浄装置。
【請求項６】
ベッドの頭側端部に請求項１乃至４のいずれかに記載の空気清浄器を設置し、吸込口をベッド側と反対方向に開口させると共に吐出口をベッド側方向に開口させて成ることを特徴とする空気清浄装置。
【請求項７】
請求項６の空気清浄装置において、ベッドの足側端部に請求項５に記載の送風器を設置し、送風器の吸気口と空気清浄器の吐出口を対向させて成ることを特徴とする空気清浄装置。
【請求項８】
請求項６の空気清浄装置において、ベッドの頭側部と空気清浄器とをフードで覆って成ることを特徴とする空気清浄装置。
【請求項９】
請求項５に記載の空気清浄装置において、空気清浄器と送風器の両方にキャスターを設けて移動自在に形成して成ることを特徴とする空気清浄装置。
【請求項１０】
動作初期には風量を最大に運転し、一定時間経過後に風量を最小に運転する制御手段を具備して成ることを特徴とする請求項１乃至９のいずれかに記載の空気清浄器及び空気清浄装置。
【発明の詳細な説明】
【０００１】
【産業上の利用分野】
本発明は、汚染空気を吸い込み、内部で浄化した空気を吐出する空気清浄器及び空気清浄装置であって、特に就寝時に使い勝手のよい空気清浄器及び空気清浄装置に関するものである。
【０００２】
【従来の技術】
最近、小児喘息、アトピー性皮膚炎等のアレルギー症状の子供が増加している。文献等によるとこれらのアレルギー症状を引き起こす原因の８〜９割がダニによるとされており、乾燥して細かく粉砕されたダニの糞やダニの死骸（ダニアレルゲン）が空中に浮遊し、それらを体内に吸い込むことによって抗原抗体反応が起こり、アレルギー症状が引き起こされると考えられている。そしてダニは特に布団やじゅうたん等に繁殖し易いものであるので、ベッドや布団等の周辺局所の空気を清浄すればアレルギー症状を緩和することができると考えられる。そこでベッドや布団等の周辺局所に空気清浄器を設置することが行われている。
【０００３】
【発明が解決しようとする課題】
しかし従来よりある空気清浄器は局所の空気のみを清浄化するように形成されておらず部屋全体の空気を清浄化するようになっていたので、汚染空気を吸引する吸込口と清浄空気を吐出する吐出口の位置関係、吸込口と吐出口の各開口面積の大きさ、吸引する汚染空気の風速や吐出する清浄空気の風速等は局所の空気のみを清浄化するようには形成されていなかった。特に吸引する汚染空気の風速や吐出する清浄空気の風速は大きく設定されているので、人体への風当たりが強くなると共に雑音も大きくなり、非常に眠りにくいものであった。また図４１に示すように、空気清浄器の吐出口２から吹き出される清浄空気５の風速が大きいと周りの汚染空気４を巻き込むことになり、空気の清浄化を確実に行えないものであった。そこで半導体の製造等で使用されるクリーンルームのように部屋全体を微風で清浄化することも考えられるが、大がかりな設備が必要となって家庭用には適さないものであった。
【０００４】
本発明は上記の点に鑑みてなされたものであり、眠り易く、大がかりな設備を必要としない空気清浄器及び空気清浄装置を提供することを目的とするものである。
【０００５】
【課題を解決するための手段】
本発明に係る空気清浄器Ａは、吸込口１と吐出口２と粉塵を除去する集塵フィルター３を具備し、空気清浄器本体６を平面略コ字形に形成し、空気清浄器本体６の両側部に吸込口１を形成すると共に、両吸込口１、１の間において空気清浄器本体６の内側に開口させて吐出口２を設け、吸込口１から汚染空気４を吸引し、この汚染空気４を集塵フィルター３で清浄化し、清浄空気５を吐出口２から吐出して送風する手段を備えた空気清浄器において、吸込口１から吸い込まれる汚染空気４の風速よりも吐出口２から吐出され送風される清浄空気５の風速を小さくして成ることを特徴とするものである。
【０００６】
また上記空気清浄器Ａにおいて、集塵フィルター３を吐出口２側に設けるようにする。さらに上記空気清浄器Ａにおいて、吐出口２の開口面積を吸込口１の開口面積よりも大きくしてもよい。
【００１１】
またこの空気清浄器Ａにおいて、上下方向に複数本の横片５６を並設してルーバー５４を形成し、空気清浄器本体６に設けた開口部５５にこのルーバー５４を設けて隣接する横片５６間を吐出口２とし、空気清浄器本体６の上部に位置する横片５６を上方に傾斜させて設けると共にその他の横片５６を水平に形成することができる。
【００１３】
本発明に係る空気清浄装置Ｂは、吸気口７と排気口８を具備し、空気４０を吸気口７から吸引し、排気口８から排気して送風する手段を備えて送風器９を形成し、上記空気清浄器Ａの吐出口２と送風器９の吸気口７とを対向させて配置して成ることを特徴とするものである。
【００１４】
さらに本発明に係る空気清浄装置Ｂは、ベッド１０の頭側端部に上記空気清浄器Ａを設置し、吸込口１をベッド１０側と反対方向に開口させると共に吐出口２をベッド１０側方向に開口させて成ることを特徴とするものである。
上記空気清浄装置Ｂにおいて、ベッド１０の足側端部に上記送風器９を設置し、送風器９の吸気口７と空気清浄器Ａの吐出口２を対向させてもよい。
【００１５】
また上記空気清浄装置Ｂにおいて、ベッド１０の頭側部と空気清浄器Ａとをフード１３で覆ってもよい。
さらに上記空気清浄装置Ｂにおいて、空気清浄器Ａと送風器９の両方にキャスター１４を設けて移動自在に形成してもよい。
本発明に係る空気清浄器Ａ及び空気清浄装置Ｂは、動作初期には風量を最大に運転し、一定時間経過後に風量を最小に運転する制御手段を具備して成ることを特徴とするものである。
【００１６】
【作用】
吸込口１から吸い込まれる汚染空気４の風速よりも吐出口２から吐出され送風される清浄空気５の風速を小さくしたので、人体への風当たりや雑音を小さくすることができる。また集塵フィルター３を吐出口２側に設けるようにしたので、集塵フィルター３が抵抗となって吐出口２から吐出され送風される清浄空気５の風速を小さくすることができる。また空気清浄器本体６を平面略コ字形に形成し、空気清浄器本体６の両側部１５に吸込口１を形成すると共に、両吸込口１、１の間において空気清浄器本体６の内側に開口させて吐出口２を設けたので、空気清浄器本体６で囲まれる空間のみに清浄空気５を吐出することができると共に空気清浄器本体６より外部の汚染空気４を巻き込みにくくすることができる。
【００１７】
さらに吐出口２の開口面積を吸込口１の開口面積よりも大きくしたので、吸込口１から吸引される汚染空気４の風量よりも吐出口２から吐出して送風される清浄空気５の風量を小さくすることができ、吐出口２から吐出され送風される清浄空気５の風速を小さくすることができる。
【００２３】
またこの空気清浄器Ａにおいて、上下方向に複数本の横片５６を並設してルーバー５４を形成し、空気清浄器本体６に設けた開口部５５にこのルーバー５４を設けて隣接する横片５６間を吐出口２とし、空気清浄器本体６の上部に位置する横片５６を上方に傾斜させて設けると共にその他の横片５６を水平に形成したので、上方に傾斜した横片５６に沿って清浄空気５が吐出されることになり、上方への清浄空気５の範囲を大きくすることができる。
【００２６】
本発明に係る空気清浄装置Ｂは、吸気口７と排気口８を具備し、空気を吸気口７から吸引し、排気口８から排気して送風する手段を備えて送風器９を形成し、上記空気清浄器Ａの吐出口２と送風器９の吸気口７とを対向させて配置したので、空気清浄器Ａと送風器９との設置間隔を大きくしても空気清浄器Ａから吐出される清浄空気５を送風器９で確実に吸入することができ、空気清浄器Ａと送風器９との設置間隔に形成される清浄空気５の空間を大きくすることができる。
【００２８】
さらにベッド１０の頭側端部に上記空気清浄器Ａを設置し、吸込口１をベッド１０側と反対方向に開口させると共に吐出口２をベッド１０側方向に開口させたので、ベッド１０の頭部付近に清浄空気５の空間を形成することができる。
加えてベッド１０の足側端部に上記送風器９を設置し、送風器９の吸気口７と空気清浄器Ａの吐出口２を対向させたので、空気清浄器Ａと送風器９との設置間隔に形成される清浄空気５の空間をベッド１０の頭側端部から足側端部にまで広げることができる。
【００２９】
加えてベッド１０の頭部と空気清浄器Ａとをフード１３で覆ったので、フード１３で囲まれる空間のみに清浄空気５を吐出することができると共にフード１３より外部の汚染空気４を巻き込みにくくすることができる。
また空気清浄器Ａと送風器９の両方にキャスター１４を設けて移動自在に形成したので、空気清浄器Ａと送風器９を必要な時に所望の場所に移動させて使用することができる。
【００３０】
加えて動作初期には風量を最大に運転し、一定時間経過後に風量を最小に運転する制御手段を具備したので、就寝前に空気清浄器Ａや空気清浄装置Ｂの動作初期には風量を最大に運転して寝室全体を清浄化することができると共に就寝後は空気清浄器Ａや空気清浄装置Ｂの風量を最小に運転してベッドや布団等の周辺局所の空気を清浄することができる。
【００３１】
【実施例】
以下本発明を実施例によって詳述する。図１、図２には本発明の空気清浄器Ａの一参考例が示してあり、空気清浄器本体６は横方向に長い箱状に形成され、その両側面には持ち運びの時に使用される取手部２０が設けられている。空気清浄器本体６の上面前側は外方向に凸の曲面に形成されていると共にその上面には電源スイッチや風量設定スイッチ等を具備する操作部１６が設けられている。空気清浄器本体６の前面にはその横方向のほぼ全長亘って吐出口２が設けられており、吐出口２は空気清浄器本体６の内外に開口するスリット状で空気清浄器本体６の縦方向に多数本形成されている。図２に示すように空気清浄器本体６の後面には吐出口２と同様に吸込口１が設けられており、吸込口１も空気清浄器本体６の内外に開口するスリット状で空気清浄器本体６の縦方向に多数本形成されている。これら吸込口１と吐出口２において、吐出口２の開口面積の総合計は吸込口１の開口面積の総合計よりも大きくなるように形成する。図２に示すように空気清浄器本体６の内部には全吐出口２の内側を覆うようにして集塵フィルター３が取り付けてある。集塵フィルター３は従来から使用されているものを用いることができる。また空気清浄器本体６の内部には底面６ａから取付片１７が一体に突設してあり、その取付片１７の吸込口１側の側面にはモーター等の駆動部１８が取り付けてあると共に駆動部１８にはファン１９が連結してある。このファン１９はシロッコファンであることが好ましい。更に必要に応じて臭気を除去する消臭フィルターを設けてもよい。
【００３２】
次にこの空気清浄器Ａの空気清浄作用について述べる。先ず電源スイッチをオンにして駆動部１８を回転させ、駆動部１８の回転によってファン１９を回転させる。このようにファン１９の回転させると空気清浄器Ａは吸込口１から汚染空気４を内部に取り入れ、その汚染空気４を取付片１７の上部から空気清浄器Ａの内部前側に移動させると共に汚染空気４を集塵フィルター３を通して清浄化し、吐出口２から清浄空気５として吐出して送風するものである。そして図１に示すように空気清浄器Ａの前方に人が寝ることによって、人の周辺に清浄空気５が吹き出されることになってきれいな空気の空間をつくり出すことができるものである。
【００３３】
また上記空気清浄器Ａは、電源スイッチをオンにした直後の動作初期には風量を最大に運転し、一定時間経過後に風量を最小に運転するようにしてある。図３にはその制御手段を構成する制御回路図が示してあり、２１は電源、２２は電源スイッチ、２３はタイマー、２４はタイマー接点である。そして電源スイッチ２２をオンにして駆動部１８に通電して駆動部１８を回転させた動作初期では、タイマー接点２４は閉じられた状態にしてあり、タイマー接点２４によって抵抗２５が短絡されるようになっており、よって駆動部１８の回転は最高速で行われると共に駆動部１８の高速回転によって連結されるファン１９も最高速で回転することになって、吸い込まれる汚染空気４の風量や吐出される清浄空気５の風量を最大にすることができる。その後一定時間が経過するとタイマー２３が作動してタイマー接点２４が開くようになっており、抵抗２５の短絡が解除されて駆動部１８の回転は最低速で行われる。そして駆動部１８の低速回転によって連結されるファン１９も最低速で回転することになって、吸い込まれる汚染空気４の風量や吐出される清浄空気５の風量を最小にすることができる。
【００３４】
以上のように本参考例では、吸込口１と吐出口２において、吐出口２の開口面積の総合計は吸込口１の開口面積の総合計よりも大きくなるように形成したので、吸込口１から吸引される汚染空気４の風量よりも吐出口２から吐出して送風される清浄空気５の風量を小さくすることができ、吐出口２から吐出され送風される清浄空気５を微風にすることができる。また集塵フィルター３を吐出口２の内側に設けるようにしたので、集塵フィルター３が抵抗となって吐出口２から吐出され送風される清浄空気５を微風にすることができる。そしてこのように清浄空気５を微風にすることによって、人体への風当たりや雑音を小さくすることができるものである。さらに空気清浄器Ａの動作初期には風量を最大に運転し、一定時間経過後に風量を最小に運転するように制御手段を具備したので、就寝前に空気清浄器Ａの風量を最大に運転して寝室全体を清浄化することができると共に就寝後は空気清浄器Ａの風量を最小に運転してベッドや布団等の周辺局所の空気を清浄することができる。
【００３５】
図４には一実施例が示してある。空気清浄器本体６は正面部２６と両方の側部１５、１５とで平面コ字形に形成されており、正面部２６には吐出口２が設けてあると共に両側部１５には吸込口１が形成してある。吐出口２は正面部２６の横方向のほぼ全長に亘って形成してあると共に吐出口２は空気清浄器本体６の内外に開口するスリット状で空気清浄器本体６の縦方向に多数本設けてある。側部１５は正面部２６の両側端部で前方に突出して形成してあり、側部１５の前側上部は傾斜面２７として形成してあると共に側部１５の内面は突部２８として突出してある。一方の側部１５の傾斜面２７には操作部１６が設けてあり、また両側部１５、１５の突部２８の下部には吸込口１が形成してある。吸込口１は突部２８の前後方向のほぼ全長に亘って形成してあると共に吸込口１は空気清浄器本体６の内外に開口するスリット状で空気清浄器本体６の縦方向に多数本設けてある。この実施例においても吐出口２の開口面積の総合計は吸込口１の開口面積の総合計よりも大きくなるように形成する。図５（ａ）には側部１５に断面図が示してある。側部１５の内部の外側面にはモーター等の駆動部１８が取り付けてあると共に駆動部１８にはファン１９が連結してある。図５（ｂ）には正面部２６の断面図が示してある。正面部２６の内部には全吐出口２の内側を覆うようにして集塵フィルター３が取り付けてある。
【００３６】
このような空気清浄器Ａでは、空気清浄器本体６で囲まれる空間のみに清浄空気５を吐出することができると共に空気清浄器本体６より外部の汚染空気４を巻き込みにくくすることができる。つまり人が正面部２６の前方で頭部が側部１５、１５間に位置するようにして寝ることによって、人の頭部周辺に清浄空気５が吹き出されることになってきれいな空気の空間をつくり出すことができるものである。また側部１５の内側に吸込口１を設けたので、人が寝返りをした時に発生する粉塵を吸い込んで清浄化することができる。
【００３７】
図６には更に他の実施例が示してある。この実施例は図４に示す実施例の側部１５の内側に設けた突部２８を側部１５の外側に設け、突部２８に形成した吸込口１を空気清浄器本体６の外側に開口させたものである。当然側部１５の内部に配設される駆動部１８やファン１９もそれらに対応して取り付け位置が変更されている。
【００３８】
この空気清浄器Ａでは、空気清浄器本体６で囲まれる空間のみに清浄空気５を吐出することができると共に空気清浄器本体６より外部の汚染空気４を巻き込みにくくすることができる。つまり人が正面部２６の前方で頭部が側部１５、１５間に位置するようにして寝ることによって、人の頭部周辺に清浄空気５が吹き出されることになってきれいな空気の空間をつくり出すことができるものである。
【００３９】
図７には他の参考例が示してあり、空気清浄器本体６の前面の両側端部にはガイド壁５０として垂直ガイド壁５１が枢着してある。垂直ガイド壁５１は後述するルーバー５４を覆う大きさの平板で、図８に示すように空気清浄器本体６側の基部には上下方向の貫通孔５９を形成した軸嵌合部６０が上下に複数個設けてある。このうち最上の軸嵌合部６０の貫通孔５９の上開口縁には平ワッシャ等のワッシャ６７が設けてある。空気清浄器本体６の両側端部には上下方向に通孔６１を設けた軸受け部６２が上下に複数個形成してある。通孔６１のうち最上の軸受け部６２に設けたものは直径が大きい大径通孔６１ａとして形成してあり、また最下の軸受け部６２には下面に開口すると共に通孔６１に連通する凹部６１ｂが凹設してある。軸６３は長いネジで形成してあり、図９に示すように頭部６３ａの下側には全周に亘って突出片６４が設けてあると共に軸部６３ｂの下端には雄ねじ６５が形成してある。そして図８、９に示すように軸受け部６２間に軸嵌合部６０をはめ込んで空気清浄器本体６の側端部に垂直ガイド壁５１を配設すると共に貫通孔５９とワッシャ６７と通孔６１に軸６３を通し、軸６３の下端の雄ねじ６５に六角ナット等のナット６６を凹部６１ｂ内において螺合する。最上の軸受け部６２の大径通孔６１ａ内に位置した軸６３の突出片６４とワッシャ６７の間にはコイルバネ６８が軸部６３ｂの上端に嵌合して設けてある。このようにコイルバネ６８を設けることによって軸６３の雄ねじ６５とナット６６の螺合深さを調節することで、垂直ガイド壁５１の軸嵌合部６０の上下端面と軸受け部６２の上下端面の摩擦の大きさを変化させることができ、図１０に示すように垂直ガイド壁５１を適当な力で回動させることができるものである。この垂直ガイド壁５１は任意の角度に設定することができるが、通常は垂直ガイド壁５１の先端同士の間隔を大きくし、平面形状ハの字状になるようにする。
【００４０】
またこの空気清浄器本体６の前面には内外に開口する開口部５５を二か所形成すると共に複数本の縦片５３と横片５６を格子状に組んで形成されるルーバー５４をそれぞれの開口部５５を覆って取り付けてあり、吐出口２は縦片５３同士の間と横片５６同士の間とで形成される。図１１に示すようにルーバー５４の縦片５３のうち、空気清浄器本体６の略中央部に位置する縦片５３は空気清浄器本体６の前後方向とほぼ平行に設けてあるが、空気清浄器本体６の側方に位置するにしたがって縦片５３は垂直ガイド壁５１の方向に徐々に傾斜させて設けてある。また図１２に示すようにルーバー５４の横片５６のうち、空気清浄器本体６の略中央部と下部の間に設けた横片５６は空気清浄器本体６の前後方向とほぼ平行に水平に設けてあるが、空気清浄器本体６の上方に位置するにしたがって横片５６は上方に傾斜させて設けてある。そして空気清浄器本体６の内部でルーバー５４の内側面には全吐出口２の内側を覆うようにして集塵フィルター３が取り付けてある。またこの参考例では、各ルーバー５４の後方に取付片１７を突設すると共にそれぞれの取付片１７に駆動部１８とファン１９とが取り付けてある。
【００４１】
上記のような空気清浄器Ａでは、垂直ガイド壁５１を空気清浄器本体６の前面に設けたので、吐出口２から吐出して送風される清浄空気５を垂直ガイド壁５１に沿って吐出することができ、しかも垂直ガイド壁５１を平面形状ハの字状に形成したので、吐出口２から吐出される清浄空気５を放射状に広げることができる。つまり垂直ガイド壁５１があると図１３（ａ）に示すように清浄空気５の空間イを大きく広げて形成することができるが、垂直ガイド壁５１がない場合は図１３（ｂ）のように清浄空気５は横方向に広がらず、清浄空気５の空間イは空気清浄器Ａのほぼ前方にしか形成されない。この参考例では空気清浄器Ａから吐出された清浄空気５を垂直ガイド壁５１に沿って吐出されるので、コアンダ効果によって清浄空気５は放射状に広がっていくものである。またルーバー５４の両側の縦片５３を垂直ガイド壁５１の方向に傾斜させたので、清浄空気５を垂直ガイド壁５１の方向に吐出し易くなり、清浄空気５は垂直ガイド壁５１に沿って広がり易くなる。またルーバー５４の上部の横片５６を上方に傾斜しさせたので、横片５６に沿って清浄空気５が上方に吐出されることになり、上方への清浄空気５の範囲を大きくすることができる。さらに空気清浄器Ａを使用しないときには、垂直ガイド壁５１を空気清浄器本体６に接するように回動して収納することができ、収納時の空気清浄器Ａをコンパクトにすることができる。しかもこの収納時に図１４に示すように垂直ガイド壁５１で全吐出口２を覆うようにすると、吐出口２からほこりが空気清浄器Ａ内に侵入して溜まらないようにすることができる。
【００４２】
図１５には他の参考例が示してある。この空気清浄器Ａには後面の側端部において垂直ガイド壁５１が枢着されている。そしてこの空気清浄器Ａは、使用時においては両方の垂直ガイド壁５１の先端が空気清浄器本体６の前方に突出されるが、空気清浄器Ａを使用しないときには垂直ガイド壁５１が空気清浄器本体６の後方に回動されて後面に設けた吸込口１を覆うようする。
【００４３】
このような空気清浄器Ａでは吸込口１からほこりが空気清浄器Ａ内に侵入して溜まらないようにすることができる。図１６には他の参考例が示してあり、この空気清浄器Ａに設けた一方の垂直ガイド壁５１は空気清浄器本体６の前面に取り付けられているが、他方の垂直ガイド壁５１は空気清浄器本体６の後面の側端部に枢着されている。そしてこの空気清浄器Ａは、使用時においては図１６に示すように両方の垂直ガイド壁５１の先端が空気清浄器本体６の前方に突出されるが、図１７に示すように空気清浄器Ａを使用しないときには、空気清浄器本体６の前面に取り付けた垂直ガイド壁５１が吐出口２を覆うように回動されると共には空気清浄器本体６の後面に取り付けた垂直ガイド壁５１は空気清浄器本体６の後面に設けた吸込口１を覆うようにして回動される。６９は前側に取り付けた垂直ガイド壁５１が後方に回動しないようにするストッパーである。
【００４４】
このような空気清浄器Ａでは、垂直ガイド壁５１で吸込口１と吐出口２の両方を覆うことができるので、吸込口１と吐出口２からほこりが空気清浄器Ａ内に侵入して溜まらないようにすることができる。
図１８には他の参考例が示してある。この参考例に示す垂直ガイド壁５１は前後二枚の前壁材５１ａと後壁材５１ｂとで形成されており、後壁材５１ｂの基部は空気清浄器本体６の前面の側端部に枢着されていると共に前壁材５１ａの後端と後壁材５１ｂの先端とは蝶番７０で互いに回動自在に連結してある。そして空気清浄器Ａを使用しないときには、前壁材５１ａを蝶番７０の部分で回動させて折り曲げて後壁材５１ｂと重ね、この重ねた両壁材５１ａ、５１ｂを後壁材５１ｂと空気清浄器本体６との枢着部分で回動させて空気清浄器Ａの側面部分に接して垂直ガイド壁５１を収納することができる。
【００４５】
図１９には他の参考例が示してある。この参考例では空気清浄器本体６の側面の上部と下部に支持具７１が取り付けてある。支持具７１は固定片７１ａと支持片７１ｂとで断面略Ｌ字型に形成され、固定片７１ａを空気清浄器本体６の上面あるいは下面に固定すると共に支持片７１ｂを空気清浄器本体６の側面に突出させて取り付けてある。そして支持片７１ｂと空気清浄器本体６の側面との間にできる隙間に垂直ガイド壁５１を前後スライド移動自在に差し込むと共に、垂直ガイド壁５１の略中央部に設けた前後方向に長い長孔７２にピン７３を通してピン７３を空気清浄器本体６の側面に固定することによって、空気清浄器本体６に垂直ガイド壁５１を取り付けることができる。
【００４６】
このように形成される空気清浄器Ａでは、使用時には垂直ガイド壁５１を前方向にスライド移動させて突出させることができると共に、使用後は垂直ガイド壁５１を後方向にスライド移動させて空気清浄器本体６の側面の外側に接してコンパクトに収納することができる。
図２０には他の参考例が示してある。この参考例の垂直スライド壁５１は、上記図１９に示す参考例の垂直ガイド壁５１を後スライド壁７７とし、その先端に更に前スライド壁７４を前後スライド移動自在に取り付けて形成したものである。前スライド壁７４は前後方向に長い長孔７５を上下に形成すると共に長孔７５にピン７６を差し込むことによって前スライド壁７４を後スライド壁７７に取り付けることができる。
【００４７】
この空気清浄器Ａでは、後スライド壁７７に前スライド壁７４を前後スライド移動自在に取り付けたので、図１９に示すものよりも更に前方向に長く垂直ガイド壁５１を突出させることができる。しかも図２１に示すように垂直ガイド壁５１は前後に長くしたにもかかわらず、図１９に示すものとほぼ同様に空気清浄器本体６の側面の外側に接してコンパクトに収納できる。
【００４８】
図２２には他の参考例が示してある。この参考例の垂直ガイド壁５１は前後に長い矩形の壁材７８を折り畳み可能に連結した蛇腹状に形成されるものであって、前後に伸縮自在である。垂直ガイド壁５１の基部は空気清浄器本体６の側面の後端部に取り付けられている。７９は取手である。
この空気清浄器Ａでは、使用時には垂直ガイド壁５１を前方向に伸長して吐出口２よりも前側に突出することができ、使用後には垂直ガイド壁５１を収縮させて空気清浄器Ａの側面に収納することができる。
【００４９】
図２３には他の参考例が示してあり、この空気清浄器Ａは図７に示すものの上面にガイド壁５０として水平ガイド壁５２を設けて形成してある。水平ガイド壁５２はその基部を空気清浄器本体６の後端部に枢着されて回動自在に取り付けられており、水平ガイド壁５２を前方向に回動させたときにはその先端が吐出口２よりも前方に突出するようになっている。また水平ガイド壁５２を後方向に回動させると図２４に示すように空気清浄器本体６の後面に形成した吸込口１を覆うようになっている。
【００５０】
この空気清浄器Ａは、使用時に水平ガイド壁５２と吐出口２よりも前方に突出することができ、吐出口２から吐出して送風される清浄空気５を水平ガイド壁５２に沿って流すことができ、コアンダ効果によって清浄空気５は上方に放射状に広がっていくものである。また使用後は水平ガイド壁５２で吸込口１を覆って収納するので、吸込口１からほこりが空気清浄器Ａ内に侵入して溜まらないようにすることができる。
【００５１】
図２５には他の参考例が示してある。この空気清浄器Ａでは、空気清浄器本体６の前面上部にその幅方向の全面に亘って開口する凹所８０が形成してあって、その凹所８０内に水平ガイド壁５２を前後スライド移動自在に取り付けて形成してある。８１は取手である。
この空気清浄器Ａでは、使用時に凹所８０から水平ガイド壁５２を前方にスライド移動させて吐出口２より前方に突出させることができる。また使用後は水平スライド壁５２を後方にスライド移動させて凹所８０内に収納することができ、コンパクトに収納することができる。
【００５２】
図２６には他の参考例が示してある。この空気清浄器Ａは、空気清浄器本体６の前面下部に吐出口２が形成してあると共に空気清浄器本体６の前面上部に吸込口１が設けてある。図２７に示すように吸込口１の後側において空気清浄器本体６の後面の内側に駆動部１８を取り付けると共にこの駆動部１８にファン１９が取り付けてある。そして駆動部１８を駆動させてファン１９を回転させると吸込口１から汚染空気４を空気清浄器本体６の内部に取り入れ、その汚染空気４を空気清浄器本体６の内部の下部に移動させ、集塵フィルター３に汚染空気４を通して清浄化し、清浄空気５を吐出口２から吐出して送風するものである。
【００５３】
この空気清浄器Ａでは、駆動部１８を空気清浄器本体６の後面の内側に取り付けることができるので、上記の他の空気清浄器Ａのように駆動部１８を取り付けるための取付片１７を設ける必要がなく、空気清浄器Ａの奥行き寸法を小さくすることができる。
図２８、２９には他の参考例が示してある。図２９（ｂ）に示すように空気清浄器本体６は横方向に長い箱状に形成され、空気清浄器本体６の前面には内外に開口する開口部５５を二か所形成すると共に複数本の縦片５３と横片５６を格子状に組んで形成されるルーバー５４をそれぞれの開口部５５を覆って取り付けてあり、吐出口２は縦片５３同士の間と横片５６同士の間とで形成される。このルーバー５４の内側面には全吐出口２の内側を覆うようにして集塵フィルター３が取り付けてある。また空気清浄器本体６の前面の両側端部には垂直ガイド壁５１が回動自在に枢着されている。空気清浄器本体６の側面にはダクト孔８２が設けてあり、ダクト孔８２は空気清浄器本体６の内部と外部に開口してある。
【００５４】
図２９（ａ）に示すように吸込器５７は中空の箱状に形成され、その前面には吸込器本体８３の内外に開口する吸込口１が多数個形成されている。吸込器本体８３の内部にはファン８４が設けてある。ファン８４は吸込器本体８３の後面の内側にモーター等の駆動部１８を取り付けると共に駆動部１８にファン８４を連結することによって設けてある。また吸込器本体８３の側面には内外に開口するダクト孔８５が形成してある。
【００５５】
そして空気清浄器本体６のダクト孔８２と吸込器本体８３のダクト孔８５とにダクト５８を取り付けて空気清浄器本体６と吸込器本体８３をダクト５８を介して連結することによって空気清浄器Ａが形成される。この空気清浄器Ａはモータ１８を駆動してファン１９を回転させて吸込器５７で吸込口１から汚染空気４を内部に取り入れ、吸い込んだ汚染空気４をダクト５８を介して空気清浄器本体６に送り込み、空気清浄器本体６に設けた集塵フィルター３で浄化して吐出口２から清浄空気５を吐出することができるものである。
【００５６】
この空気清浄器Ａでは、空気清浄器本体６と吸込器５７を別々に形成したので、空気清浄器本体６のみを人が寝ている近くに配置し、吸込器５７を人が寝ている場所より遠ざけて配置することができ、人の周辺に清浄空気５が吹き出されることになってきれいな空気の空間をつくり出すことができると共に駆動部１８やファン８４の駆動によって生じる雑音が人に聞こえにくくなって安眠できるものである。
【００５７】
図３０には空気清浄器Ａと送風器９とを組み合わせて形成される空気清浄装置Ｂが示してある。空気清浄器Ａは図１に示す参考例と同様のものを使用することができ、送風器９は図３１に示すようなものが使用できる。送風器９は、箱状に形成される送風器本体２９の前面に排気口８を設けると共に後面に吸気口７を設けて形成してあり、送風器本体２９の内部にはモーター等で形成される駆動部３０や駆動部３０と連結してあるプロペラファン３１が設けてある。排気口８は横方向のほぼ全長に亘って形成してあると共に排気口８は送風器本体９の内外に開口するスリット状で送風器本体９の縦方向に多数本設けてある。また吸気口７は横方向のほぼ全長に亘って形成してあると共に吸気口７は送風器本体９の内外に開口するスリット状で送風器本体９の縦方向に多数本設けてある。そして電源スイッチをオンにして駆動部３０を回転させてプロペラファン３１を回転させることによって、吸気口７から空気４０を取り入れて排気口８から吹き出すことができるものである。尚、この送風器９にも図３に示すような制御回路が設けてあって、電源スイッチをオンにした直後の動作初期には風量を最大に運転し、一定時間経過後に風量を最小に運転するようにしてもよい。このように形成される送風器９の吸気口７と空気清浄器Ａの吐出口２を対向させて送風器９と空気清浄器Ａとを設置することによって、図３０に示すような空気清浄装置Ｂが構成されるものである。
【００５８】
上記空気清浄装置Ｂは、人が送風器９と空気清浄器Ａの間に頭部を位置させて寝るようにして使用されるものであり、人の頭部周辺に清浄空気５が吹き出されることになってきれいな空気の空間をつくり出すことができるものである。しかも空気清浄器Ａから吐出される清浄空気５は、送風器９によって強制的に人の頭部付近を通って送風器９まで導かれることになり、空気清浄器Ａと送風器９との設置間隔を大きくしても空気清浄器Ａから吐出される清浄空気５を送風器９で確実に吸入することができ、空気清浄器Ａと送風器９との設置間隔に形成される清浄空気５の空間を大きくすることができるものである。
【００５９】
図３２にはベッド１０に空気清浄器Ａを組み込んだ空気清浄装置Ｂが示してある。ベッド１０の頭側端部には上方に突出する収納部３２が一体に設けてあって、その収納部３２が空気清浄器本体６になっている。図３３には収納部３２の断面図が示してあり、収納部３２のベッド１０側の前面において、一方の側部には前方へ突出する吸い込み部１１が形成してあると共に他方の側部には前方へ突出する吐出部１２が形成してある。吸い込み部１１と吐出部１２の対向する面にはそれぞれ吸込口１と吐出口２が設けてある。吸込口１は吸い込み部１１の縦方向のほぼ全長に亘って形成してあると共に吸込口１は吸い込み部１１の横方向に多数本設けてある。また吐出口２は吐出部１２の縦方向のほぼ全長に亘って形成してあると共に吐出口２は吐出部１２の横方向に多数本設けてある。吐出口２の内側には全吐出口２を覆う集塵フィルター３が取り付けてある。また収納部３２の略中央部には、固定片３３によって支持されるクロスフローファン３４が設けてあり、クロスフローファン３４を回転させる駆動部も内蔵されている。
【００６０】
このように形成される空気清浄装置Ｂは、ベッド１０の頭側端部に空気清浄器Ａを設置してあるので、人がベッド１０に寝た場合、人の頭部付近に清浄空気５の空間を形成することができる。しかも吸込口１と吐出口２とを対向させたので、吐出口２から吐出される清浄空気５を循環させることができ、清浄空気５をより清浄化することができる。またベッド１０に一体に設けた収納部３２を空気清浄器本体６としたので、空気清浄器Ａを設置しても違和感がなく、設置スペースも余計に確保する必要がなくなるものである。
【００６１】
図３４、図３５には空気清浄装置Ｂの他の参考例が示してあり、この参考例ではベッド１０の頭側端部に上方に突出する送風器収納部３５を一体に設けると共に送風器収納部３５の上面に上方に突出する空気清浄器収納部３６を一体に形成したものである。送風器収納部３５は図３１に示す送風器９の送風器本体２９に対応するものであって、送風器収納部３５のベッド１０側の前面には吸気口７を設けると共にベッド１０側と反対方向の後面には排気口８を設けて形成してあり、送風器収納部３５の内部にはモーター等で形成される駆動部３０や駆動部３０と連結してあるプロペラファン３１が設けてある。排気口８は送風器収納部３５の横方向の中央部に形成してあると共に排気口８は送風器収納部３５の内外に開口するスリット状で送風器収納部３５の縦方向に多数本設けてある。また吸気口７は送風器収納部３５の横方向の中央部に形成してあると共に吸気口７は送風器収納部３５の内外に開口するスリット状で送風器収納部３５の縦方向に多数本設けてある。このようにしてベッド１０の頭側端部に送風器９が形成できるものである。空気清浄器収納部３６は図１に示す空気清浄器Ａの空気清浄器本体６に対応するものであって、空気清浄器収納部３６のベッド１０側の前面には吐出口２を設けると共にベッド１０側と反対方向の後面には吸込口１を設けて形成してあり、空気清浄器収納部３６の内部にはモーター等で形成される駆動部１８や駆動部１８と連結してあるファン１９が設けてある。吐出口２は空気清浄器収納部３６の横方向のほぼ全長に亘って形成してあると共に吐出口２はルーバー３７によって形成してある。ルーバー３７は清浄空気５が下向きに吐出されるように斜め下向きの傾斜を有している。また吸込口１は空気清浄器収納部３６の横方向のほぼ全長に亘って形成してあると共に吸込口１は空気清浄器収納部３６の内外に開口するスリット状で空気清浄器収納部３６の縦方向に多数本設けてある。このようにしてベッド１０の頭側端部に空気清浄器Ａが形成できるものである。
【００６２】
このような空気清浄装置Ｂは、ベッド１０の頭側端部に空気清浄器Ａを設置してあるので、人がベッド１０に寝た場合、人の頭部付近に清浄空気５の空間を形成することができる。しかも吐出口２から吐出される清浄空気５を送風器９で強制的に排気することができ、常に清浄化された清浄空気５を人に供給することができる。またベッド１０に一体に設けた送風器収納部３５と送風器本体２９として送風器９を形成すると共に空気清浄器収納部３６を空気清浄器本体６として空気清浄器Ａを形成したので、送風器９や空気清浄器Ａを設置しても違和感がなく、設置スペースも余計に確保する必要がなくなるものである。
【００６３】
図３６には空気清浄装置Ｂの他の参考例が示してあり、この参考例では図３２に示す参考例における空気清浄器収納部３６をベッド１０の頭側端部に上方に一体に突設すると共に図３４に示す参考例における送風器収納部３５をベッド１０の足側端部に一体に設けるようにして形成したものである。図３７（ａ）に示す空気清浄器収納部３６は図１に示す空気清浄器Ａの空気清浄器本体６に対応するものであって、空気清浄器収納部３６のベッド１０側の前面には吐出口２を設けると共にベッド１０側と反対方向の後面には吸込口１を設けて形成してあり、空気清浄器収納部３６の内部にはモーター等で形成される駆動部１８や駆動部１８と連結してあるファン１９が設けてある。吐出口２は空気清浄器収納部３６の横方向のほぼ中央部に形成してあると共に吐出口２は空気清浄器収納部３６の内外に開口するスリット状で空気清浄器本体６の縦方向に多数本設けてある。また吸込口１は空気清浄器収納部３６の横方向の中央部に形成してあると共に吸込口１は空気清浄器収納部３６の内外に開口するスリット状で空気清浄器収納部３６の縦方向に多数本設けてある。このようにしてベッド１０の頭側端部に空気清浄器Ａが形成できるものである。また図３７（ｂ）に示す送風器収納部３５は図３４に示すものと同等であり、ただベッド１０の足側端部に形成されているところが異なるだけである。このようにしてベッド１０の足側端部に送風器９が形成できるものである。そうして送風器９の吸気口７と空気清浄器Ａの吐出口２を真正面に対向させることによって空気清浄装置Ｂが構成されるものである。
【００６４】
このような空気清浄装置Ｂは、ベッド１０の頭側端部に空気清浄器Ａを設置してあるので、人がベッド１０に寝た場合、人の頭部付近に清浄空気５の空間を形成することができる。しかもベッド１０の足側端部に送風器９が設けてあるので、きれいな空気の空間をベッド１０の頭側端部から足側端部にまで形成することができ、人が寝る空間全体の空気を清浄化することができる。
【００６５】
図３８には空気清浄装置Ｂの他の参考例が示してあり、この参考例では図３６に示す参考例における空気清浄器収納部３６をベッド１０の頭側端部に上方に一体に突設すると共に空気清浄器収納部３６の上面と両側面を覆うフード１３をベッド１０の長手方向と平行にスライド移動自在に設けて形成したものである。図３９に示すようにフード１３は下面とベッド１０の長手方向にある前後面とが開口して形成してあり、その上面１３ａと両側面１３ｂにはベッド１０の長手方向と平行な溝部３８が設けてある。そしてネジ３９等を溝部３８に挿入してフード１３を空気清浄器収納部３６に取り付けることができる。フード１３は人が寝起きする場合にはベッド１０よりも外方にスライド移動させて邪魔にならないようにし、空気清浄器Ａを使用する就寝時にのみベッド１０側に突出させて使用するものである。
【００６６】
このような空気清浄装置Ｂは、ベッド１０の頭部と空気清浄器Ａとをフード１３で覆ったので、フード１３で囲まれる空間、つまり人の頭部付近のみに清浄空気５を吐出することができ、またフード１３より外側の汚染空気４を巻き込みにくくすることができる。図４０には空気清浄装置Ｂの他の参考例が示してあり、この参考例は図３０に示す空気清浄器Ａと送風器９のそれぞれの下面にキャスター１４を設け、移動自在に形成したものである。またベッド１０の高さに対応させて空気清浄器本体６と送風器本体２９のそれぞれの高さを高く形成したものである。
【００６７】
この空気清浄装置Ｂは、空気清浄器Ａと送風器９の両方にキャスター１４を設けて移動自在に形成したので、空気清浄器Ａと送風器９を必要な時に所望の場所に移動させて使用することができ、使用しない時は別の場所に収納しておけるものである。また清浄空気５が吐出される空間を任意の位置に設定することができる。
【００６８】
【発明の効果】
上記のように本発明は、吸込口から吸い込まれる汚染空気の風速よりも吐出口から吐出され送風される清浄空気の風速を小さくしたので、人体への風当たりや雑音を小さくすることができ、眠り易くなるものであり、また空気清浄器本体を平面略コ字形に形成し、空気清浄器本体の両側部に吸込口を形成すると共に、両吸込口の間において空気清浄器本体の内側に開口させて吐出口を設けたので、空気清浄器本体で囲まれる空間のみに清浄空気を吐出することができると共に空気清浄器本体より外部の汚染空気を巻き込みにくくすることができるものである。また集塵フィルターを吐出口側に設けるようにしたので、集塵フィルターが抵抗となって吐出口から吐出され送風される清浄空気の風速を小さくすることができ、大がかりな設備を必要としないものである。
【００６９】
さらに吐出口の開口面積を吸込口の開口面積よりも大きくしたので、吸込口から吸引される汚染空気の風量よりも吐出口から吐出して送風される清浄空気の風量を小さくすることができ、吐出口から吐出され送風される清浄空気の風速を小さくすることができるものである。
【００７５】
またこの空気清浄器において、上下方向に複数本の横片を並設してルーバーを形成し、空気清浄器本体に設けた開口部にこのルーバーを設けて隣接する横片間を吐出口とし、空気清浄器本体の上部に位置する横片を上方に傾斜させて設けると共にその他の横片を水平に形成したので、上方に傾斜した横片に沿って吐出口から清浄空気が吐出されることになり、上方への清浄空気の範囲を大きくすることができるものである。
【００７８】
さらに吸気口と排気口を具備し、空気を吸気口から吸引し、排気口から排気して送風する手段を備えて送風器を形成し、上記空気清浄器の吐出口と送風器の吸気口とを対向させて配置したので、空気清浄器と送風器との設置間隔を大きくしても空気清浄器から吐出される清浄空気を送風器で確実に吸入することができ、空気清浄器と送風器との設置間隔に形成される清浄空気の空間を大きくすることができるものである。
【００８０】
さらにベッドの頭側端部に上記空気清浄器を設置し、吸込口をベッド側と反対方向に開口させると共に吐出口をベッド側方向に開口させたので、ベッドの頭部付近に清浄空気の空間を形成することができるものである。
加えてベッドの足側端部に上記送風器を設置し、送風器の吸気口と空気清浄器の吐出口を対向させたので、空気清浄器と送風器との設置間隔に形成される清浄空気の空間をベッドの頭側端部から足側端部にまで広げることができるものである。
【００８１】
加えてベッドの頭側部と空気清浄器とをフードで覆ったので、フードで囲まれる空間のみに清浄空気を吐出することができると共にフードより外部の汚染空気を巻き込みにくくすることができるものである。
また空気清浄器と送風器の両方にキャスターを設けて移動自在に形成したので、空気清浄器と送風器を必要な時に所望の場所に移動させて使用することができるものである。
【００８２】
加えて動作初期には風量を最大に運転し、一定時間経過後に風量を最小に運転する制御手段を具備したので、就寝前に空気清浄器や空気清浄装置の動作初期には風量を最大に運転して寝室全体を清浄化することができると共に就寝後は空気清浄器や空気清浄装置の風量を最小に運転してベッドや布団等の周辺局所の空気を清浄することができるものである。
【図面の簡単な説明】
【図１】本発明の空気清浄器の一参考例を示す斜視図である。
【図２】同上の図１におけるア−ア断面図である。
【図３】同上の制御回路図である。
【図４】同上の空気清浄器の他の実施例を示す斜視図である。
【図５】同上の図４における（ａ）はイ−イ断面図、（ｂ）はウ−ウ断面図である。
【図６】同上の空気清浄器の他の実施例を示す斜視図である。
【図７】同上の空気清浄器の他の参考例を示す斜視図である。
【図８】同上の一部の拡大図である。
【図９】同上の一部の拡大断面図である。
【図１０】同上の斜視図である。
【図１１】同上の図７の横断面図である。
【図１２】同上の図７の縦断面図である。
【図１３】同上の（ａ）、（ｂ）は空気清浄装置の使用状態を示す平面図である。
【図１４】同上の収納時の斜視図である。
【図１５】同上の空気清浄装置の他の参考例を示す斜視図である。
【図１６】同上の空気清浄装置の他の参考例を示す斜視図である。
【図１７】同上の斜視図である。
【図１８】同上の空気清浄装置の他の参考例を示す斜視図である。
【図１９】同上の空気清浄装置の他の参考例を示す斜視図である。
【図２０】同上の空気清浄装置の他の参考例を示す斜視図である。
【図２１】同上の収納時の斜視図である。
【図２２】同上の空気清浄装置の他の参考例を示す斜視図である。
【図２３】同上の空気清浄装置の他の参考例を示す斜視図である。
【図２４】同上の収納時の斜視図である。
【図２５】同上の空気清浄装置の他の参考例を示す斜視図である。
【図２６】同上の空気清浄装置の他の参考例を示す斜視図である。
【図２７】同上の図２６におけるサ−サ断面図である。
【図２８】同上の空気清浄装置の他の参考例を示す斜視図である。
【図２９】同上の図２８における（ａ）はシ−シ断面図、（ｂ）はス−ス断面図である。
【図３０】本発明の空気清浄装置の一参考例を示す斜視図である。
【図３１】同上の送風器の断面図である。
【図３２】同上の空気清浄装置の他の参考例を示す斜視図である。
【図３３】同上の図３２におけるエ−エ断面図である。
【図３４】同上の空気清浄装置の他の参考例を示す斜視図である。
【図３５】同上の図３４におけるオ−オ断面図である。
【図３６】同上の空気清浄装置の他の参考例を示す斜視図である。
【図３７】同上の図３６における（ａ）はカ−カ断面図、（ｂ）はキ−キ断面図である。
【図３８】同上の空気清浄装置の他の参考例を示す斜視図である。
【図３９】同上の図３８におけるク−ク断面図である。
【図４０】同上の空気清浄装置の他の参考例を示す斜視図である。
【図４１】従来例の概略図である。
【符号の説明】
１  吸込口
２  吐出口
３  集塵フィルター
４  汚染空気
５  清浄空気
６  空気清浄器本体
７  吸気口
８  排気口
９  送風器
１０  ベッド
１１  吸い込み部
１２  吐出部
１３  フード
１４  キャスター
１５  側部
５０  ガイド壁
５１  垂直ガイド壁
５２  水平ガイド壁
５３  縦片
５４  ルーバー
５５  開口部
５６  横片
５７  吸込器
５８  ダクト
Ａ  空気清浄器
Ｂ  空気清浄装置
【図１】
0003575032.tif 000002
【図２】
0003575032.tif 000003
【図３】
0003575032.tif 000004
【図４】
0003575032.tif 000005
【図５】
0003575032.tif 000006
【図６】
0003575032.tif 000007
【図７】
0003575032.tif 000008
【図８】
0003575032.tif 000009
【図９】
0003575032.tif 000010
【図１０】
0003575032.tif 000011
【図１１】
0003575032.tif 000012
【図１２】
0003575032.tif 000013
【図１３】
0003575032.tif 000014
【図１４】
0003575032.tif 000015
【図１５】
0003575032.tif 000016
【図１６】
0003575032.tif 000017
【図１７】
0003575032.tif 000018
【図１８】
0003575032.tif 000019
【図１９】
0003575032.tif 000020
【図２０】
0003575032.tif 000021
【図２１】
0003575032.tif 000022
【図２２】
0003575032.tif 000023
【図２３】
0003575032.tif 000024
【図２４】
0003575032.tif 000025
【図２５】
0003575032.tif 000026
【図２６】
0003575032.tif 000027
【図２７】
0003575032.tif 000028
【図２８】
0003575032.tif 000029
【図２９】
0003575032.tif 000030
【図３０】
0003575032.tif 000031
【図３１】
0003575032.tif 000032
【図３２】
0003575032.tif 000033
【図３３】
0003575032.tif 000034
【図３４】
0003575032.tif 000035
【図３５】
0003575032.tif 000036
【図３６】
0003575032.tif 000037
【図３７】
0003575032.tif 000038
【図３８】
0003575032.tif 000039
【図３９】
0003575032.tif 000040
【図４０】
0003575032.tif 000041
【図４１】
0003575032.tif 000042